(57)【要約】【課題】  洗浄ヘッドの水車室内の水車を回転させることにより、回転洗浄部材を回転させて洗浄を行う構造の回転式洗浄具において、送水圧を利用して回転洗浄部材を回転動作させるとともに、液剤供給装置を備え、液剤も回転洗浄部材が回転動作しているときだけ供給できるようにする。【解決手段】回転式洗浄具１において、継ぎ手１０に接続されたホースからの水が洗浄ヘッド５０に導かれると、その水圧によって水車４８に回転力を生じさせる。減速機構で水車４８の回転を減速してスポンジ２２に伝達すると共に、水車４８を回転させた水は、歯車下部部品４７の排水部５８からスポンジ２２側へ排出される。前記水圧は、同時にスイッチシャフト８３を押上げ、洗浄ヘッド５０から洗剤等の液剤をスポンジ２２側へ滴下させることを可能とする。  【選択図】図８
2014223596.tif 000002
【特許請求の範囲】
【請求項１】
洗浄ヘッドに送水圧により回転する水車を配設するとともに、該水車に回転洗浄部材を連結し、送水圧により前記水車と共に前記回転洗浄部材を回転駆動するようになした回転式洗浄具において、
前記回転式洗浄具に、前記水車の回転と連動して前記回転洗浄部材に液剤を供給する液剤供給装置を設けたことを特徴とする回転式洗浄具。
【請求項２】
前記液剤供給装置は、液剤タンクと、該液剤タンク内の液剤を前記回転洗浄部材に供給するとともに、その供給量を調整可能とした液剤滴下口開閉機構部とを備えていることを
特徴とする請求項１に記載の回転式洗浄具。
【請求項３】
前記液剤滴下口開閉機構部には、送水圧によって作動し、液剤の滴下流路を開放する液剤流路開閉部材を具備していることを特徴とする請求項１ないし請求項２に記載の回転式洗浄具。
【請求項４】
前記液剤流路開閉部材は、付勢手段によって液剤の滴下流路を閉塞する方向へ付勢されていることを特徴とする請求項３に記載の回転式洗浄具。
【請求項５】
前記液剤の滴下流路は、前記水車を配設する水車室とは隔離した独立した経路とされていることを特徴とする請求項３ないし請求項４に記載の回転式洗浄具。
【請求項６】
前記水車により回転駆動する回転軸に、前記回転洗浄部材を着脱自在に取り付けることを特徴とする請求項１ないし請求項５のいずれかに記載の回転式洗浄具。
【発明の詳細な説明】
【技術分野】
【０００１】
本発明は、水圧を利用してスポンジ又はブラシを回転動作させながら液状洗剤等の液剤を滴下して供給することができる回転式洗浄具に関するものである。
【背景技術】
【０００２】
従来、握りシャフトと、回転ブラシ及び回転ブラシを回転駆動する水車とを備えた洗浄ヘッドを具備し、ホースを通じて所定圧力で送られた水をフィンに当てて回転ブラシを回転動作させ、ブラシ部分から水を噴出しながら洗浄を行うものがいくつか提案されている。また、ハンディタイプの回転電動清掃具に液剤タンクを装備し、液状洗剤等を供給できるようにしたものも提案されている。
【０００３】
例えば、特許文献１に記載されている回転ブラシは、一般水道水の水圧を直接利用するもので、水を水受羽に吐出し回転板を回転させ、回転板の底面に取付けた回転ブラシが水と共に高速で回転し洗車するものである。
【０００４】
また、特許文献２に記載されている回転ブラシは液剤供給装置付きの電動回転清掃具で、液剤供給装置は、液剤タンクと液剤噴出パイプ及び、使用者の操作によって必要に応じて液剤タンク内へ圧縮空気を供給するポンプとからなるものである。
【先行技術文献】
【特許文献】
【０００５】
【特許文献１】特開２００５−３０６３４８号公報
【特許文献２】実用新案登録第３０９５１８５号公報
【発明の概要】
【発明が解決しようとする課題】
【０００６】
しかしながら、特許文献１に記載されている回転ブラシでは水圧を利用して単純に水洗いはできるが、液状洗剤の供給装置がないため、汚れがひどい場合には別途手作業で洗剤を散布する必要があり非効率的である。また特許文献２に記載されている回転ブラシには液剤供給装置は備えられているが、液剤の供給は、その都度使用者の操作でポンプを作動させる必要があり面倒である。
【０００７】
本発明は、このような点に鑑みなされたもので、水圧を利用して回転ブラシを回転動作させるとともに、液剤供給装置を備え、液剤も回転ブラシが回転動作しているときだけ供給が行われる回転式洗浄具を提供することを目的としている。
【課題を解決するための手段】
【０００８】
請求項１に記載の発明にあたっては、洗浄ヘッドに送水圧により回転する水車を配設するとともに、該水車に回転洗浄部材を連結し、送水圧により前記水車と共に前記回転洗浄部材を回転駆動するようになした回転式洗浄具において、前記回転式洗浄具に、前記水車の回転と連動して前記回転洗浄部材に液剤を供給する液剤供給装置を設けたことを特徴とするものである。
【０００９】
請求項２に記載の発明にあたっては、前記液剤供給装置は、液剤タンクと、該液剤タンク内の液剤を前記回転洗浄部材に供給するとともに、その供給量を調整可能とした液剤滴下口開閉機構部とを備えていることを特徴とするものである。
【００１０】
請求項３に記載の発明にあたっては、前記液剤滴下口開閉機構部には、送水圧によって作動し、液剤の滴下流路を開放する液剤流路開閉部材を具備していることを特徴とするものである。
【００１１】
請求項４に記載の発明にあたっては、前記液剤流路開閉部材は、付勢手段によって液剤の滴下流路を閉塞する方向へ付勢されていることを特徴とするものである。
【００１２】
請求項５に記載の発明にあたっては、前記液剤の滴下流路は、前記水車を配設する水車室とは隔離した独立した経路とされていることを特徴とするものである。
【００１３】
請求項６に記載の発明にあたっては、前記水車により回転駆動する回転軸に、前記回転洗浄部材を着脱自在に取り付けることを特徴とするものである。
【発明の効果】
【００１４】
本発明によれば、水圧を利用して回転洗浄部材を回転動作させるとともに、液剤供給装置からの液剤も回転洗浄部材が回転動作しているときだけ供給が行われるため、洗浄を効率的に行うことができ、使用者による液剤供給操作の手間が省けるため便利である、等の効果が得られる。
【図面の簡単な説明】
【００１５】
【図１】本実施形態の回転式洗浄具を上方から見た斜視図
【図２】本実施形態の洗浄ヘッドを上方から見た分解斜視図
【図３】本実施形態の洗浄ヘッドを下方から見た分解斜視図
【図４】本実施形態の減速機構部と液剤滴下口開閉部を説明する上方から見た一部分解斜視図
【図５】本実施形態の減速機構部と液剤滴下口開閉部を説明する下方から見た一部分解斜視図
【図６】本実施形態の減速機構部と液剤滴下口開閉部の一部を組立てた図であり、（ｂ）は、ノズルと水車の位置関係を説明するために、（ｃ）から歯車下部部品を取外して下方から見た斜視図である
【図７】本実施形態の液剤供給方法を説明する図であり、説明の便宜上、タンク上部本体を取外して上方から見た斜視図である
【図８】本実施形態の液剤滴下動作を説明する図であり、（ａ）、（ｂ）は、水の流入の有無による状態をそれぞれ示す断面図
【図９】本実施形態の液剤滴下箇所を説明するための歯車ハウジングを下方から見た斜視図
【図１０】本実施形態の回転スポンジを上方から見た分解斜視図
【図１１】本実施形態の回転スポンジを下方から見た分解斜視図
【図１２】本実施形態の回転スポンジを洗浄ヘッドに装着する方法を説明する図であり、（ａ）は上方から見た斜視図で、（ｂ）、（ｃ）は平面図
【発明を実施するための形態】
【００１６】
以下に本発明の好適な実施の形態について、図面を参照しながら説明する。なお本実施の形態は一例であり、これに限定されるものではない。
＜回転式洗浄具の基本構成＞
図１は、本例の回転式洗浄具１の外観図で、１０は継ぎ手、５０はその先端に設けられた洗浄ヘッドであって、スポンジ２２とこれを保持するスポンジベース２１を有する回転スポンジ２０（回転洗浄部材）が前記洗浄ヘッド５０に着脱自在に構成されている。継ぎ手１０は、内部に水路１１（図８参照）を有しており、継ぎ手１０に接続されたホースからの水がこの内部の水路１１を通じて先端の前記洗浄ヘッド５０に導かれる。ホースからの水は、一般水道水もしくは高圧洗浄機から供給される高圧水が使われる。
【００１７】
＜洗浄ヘッド５０の構成＞
図２、図３は前記洗浄ヘッド５０の内部構造を示している。洗浄ヘッド５０は、減速機構部４０と、前記減速機構部４０の上部に洗浄液等の液剤を収容するための液剤タンク７０と、前記液剤を供給又は供給停止する液剤滴下口開閉機構部８０から構成される。
【００１８】
＜減速機構部４０＞
減速機構部４０は、歯車ハウジング４１と、その内部に収められた水車４８と、水車４８の回転駆動力を回転スポンジ２０におけるスポンジベース２１に対し減速して伝達する減速機を有している。
【００１９】
前記減速機の構成を図２〜図６で説明する。まず、図２、図３に示すように、歯車ハウジング４１は、円筒形状をなしており、その内部は軸長方向（上下方向）で略２分割されていて、上部の周壁部内面は周方向に沿って係合歯４９が連続して形成されたギヤとして構成されている。下部は、水車４８を収容する水車室５５が形成されている。
【００２０】
図２、図４に示すように、前記水車４８の軸長方向に一体で形成された太陽歯車４２の軸心が前記係合歯４９の中心に位置するように歯車ハウジング４１に挿入し、太陽歯車４２と係合歯４９の間に生じる環状の空間に複数（この例では１８０°対向で２個）の遊星歯車４３ａ、４３ｂを太陽歯車４２と係合歯４９の双方に噛み合わせて配設されている。
【００２１】
本実施例において、これら複数の遊星歯車４３ａ、４３ｂは、太陽歯車４２が水車４８とともに回転したとき、互いに自転運動しながら太陽歯車４２及び水車４８の軸心周りに公転運動する。
【００２２】
図４、図５に示すように、前記遊星歯車４３ａ、４３ｂ及び、太陽歯車４２の上部には歯車ハウジング４１を覆うように可動内歯車４４が回転可能に取付けられる。可動内歯車４４は、浅皿状で周壁部内面に周方向に沿って係合歯５１を連続して形成されたギヤとして構成されており、前記遊星歯車４３ａ、４３ｂと噛み合わせることによって、遊星歯車４３ａ、４３ｂの公転運動と同一回転数で回転運動する。
【００２３】
可動内歯車４４の軸心部には、円形の透孔５２が穿設されて透孔５２の上部には、内壁が多角形（この例では正６角形）の形状のリブ５３が突設されており、回転シャフト４５を透孔５２の上方から挿入して、前記多角形の内壁部と回転シャフト４５の端部に形成した多角形状のヘッド部５４が係合することによって、可動内歯車４４の回転運動が回転シャフト４５に伝達される。
【００２４】
回転シャフト４５の他方の端部は円錐状に尖った砲弾型をしており、本実施例においては金属材料であるステンレス材を切削加工して形成している。
【００２５】
前述のように回転シャフト４５は、可動内歯車４４の透孔５２の上方から挿入し、前記太陽歯車４２の中心孔５６、さらに歯車下部部品４７の軸心を貫通する中心孔５７を貫通させる。この歯車下部部品４７は、薄板円盤状で供給された水を排出するために円弧状の多数のスリットを形成した排水部５８を有して、図示しないネジによって歯車ハウジング４１に結合されている。
【００２６】
図４、図５に示すように、回転シャフト４５の円錐形状側には、円柱部から円錐形状に移行する起点部近傍に、後述する回転スポンジ２０を洗浄ヘッド５０に装着するための係合溝６４が外周部を一周して環状に設けられ、前記係合溝６４から多角形状のヘッド部５４側へ少し移動した外周部には、回転スポンジ２０との係合密着性を高めることを目的としてＯリング６５を装着するＯリング装着溝６３を有し、その直上に回転シャフト４５の回転運動を回転スポンジに伝達するピン６６を回転シャフト４５の軸長方向と直交する方向に圧入固定するための圧入孔６２が穿設されている。回転シャフト４５を前述の可動内歯車４４、太陽歯車４２及び、歯車下部部品４７に挿通後に、ピン６６とＯリング６５を装着する。（図６（ｃ））
【００２７】
＜液剤滴下口開閉機構部＞
液剤滴下口開閉機構部８０は、ベースノズル８１、該ベースノズル８１に連結されるスイッチベース８２、該スイッチベース８２に挿入されるスイッチシャフト８３、前記スイッチベース８２が挿入されるタンク接続パイプ８４、該タンク接続パイプ８４の上部に挿入されるゲート開閉部材８８及び、液剤滴下調整ノブ８７から概略構成されている。ベースノズル８１は、図２に示すように、継ぎ手１０の内部の水路１１（図８）を通じて供給される水を、前記歯車ハウジング４１内の水車室５５に勢い良く噴出させるノズル１０８を備え、前記ノズル１０８とは直交する方向にネジが切られたネジ止め孔１０９を有している。
【００２８】
図８に示すように、円筒形状のスイッチベース８２は、内部の上下２箇所に段部８９ａ、８９ｂを有し、前記２箇所の段部８９ａ、８９ｂ間の中間に軸長方向とは直交する貫通孔９１が穿設されている。このスイッチベース８２の内径に沿って上方から、フランジ９３を有する円柱状のスイッチシャフト８３を挿入する。挿入前にフランジ９３の直下部にブッシュ８６ａを装着し、挿入後に下部ブッシュ８６ｂを装着する。スイッチシャフト８３の外径には、あらかじめブッシュ８６ａ、８６ｂ装着用の溝が形成されている。
【００２９】
スイッチシャフト８３が挿入されたスイッチベース８２は、ネジが形成された下部突出部９２に形成されたネジ部を前記ベースノズル８１のネジ止め孔１０９（図２）に螺合して連結固定される。
【００３０】
スイッチシャフト８３のフランジ９３の上部にはコイルバネ８５を装着し、タンク接続パイプ８４をスイッチベース８２の全外周面を覆うように上部から被せベースノズル８１の前記ネジ止め孔１０９の周囲の平面部に図示しないネジで固定される。そのとき、タンク接続パイプ８４の外周面に突設した液剤吐出口９４は前述ベースノズル８１から突設され水を勢い良く吐き出すノズル１０８側と同方向を向くように位置決めする。タンク接続パイプ８４の内部は、図８に示すように、その軸長方向にスイッチベース８２の外径に対応した内径部、その上部にはコイルバネ８５の外径に対応した内径部、さらにその上部には後述する液剤滴下量調整のためのゲート開閉部材８８の外径に対応した内径部を有しており、タンク接続パイプ８４を組立てることで前記コイルバネ８５には、スイッチシャフト８３を常時下方に付勢する付勢力が働くようになる。液剤滴下調整ノブ８７については後述する。
【００３１】
以上のように組立てられた液剤滴下口開閉機構部８０は、図６（ｂ）に示すように、前記ノズル１０８を水車室５５内に突出させるように、歯車ハウジング４１の外周に穿設された透孔３１（図５）から内部に臨ませ、またタンク接続パイプ８４の液剤吐出口９４を、歯車ハウジング４１の円筒外壁部に凹設された円弧状の有底スリット部１０７（図４）に連通する図示しない孔に挿入して、図示しないネジによって歯車ハウジング４１に固定されている。
【００３２】
図４、図５に示すように、回転シャフト４５の多角形状のヘッド部５４の軸心部には小径の軸受孔６１が凹設されており、上部歯車ハウジング４６の内面に突設した軸６７を前記軸受孔６１と係合させることによって、回転シャフト４５の回転運動のガイドとなる。また、前記歯車ハウジング４１に固定された液剤滴下口開閉機構部８０のタンク接続パイプ８４の上部を上部歯車ハウジング４６の孔９６から臨ませるようにして、上部歯車ハウジング４６は、図示しないネジによって上方から歯車ハウジング４１に固定される。（図６（ａ））
【００３３】
＜液剤タンク＞
洗浄液等の液剤を収容する液剤タンク７０は、前記歯車上部ハウジング４６の上部に載設されている。この液剤タンク７０は、図３、図８に示すように、タンク下部本体７１、タンク上部本体７２及び、タンク蓋７３から構成されており、タンク下部本体７１及び、タンク上部本体７２は、これらの外周に形成されたラビリンス係合壁７４ａ、７４ｂを接着接合させている。
【００３４】
前記タンク接続パイプ８４の上部円筒部１０１の外面と、タンク下部本体７１の下面に設けた円筒孔９９の内面を隙間無く嵌合させ、さらに、前記上部円筒部１０１の外面に設けた周方向に沿った突状部９７を前記円筒孔９９の内面に設けた周方向の溝部９８に密嵌させることで液剤タンク７０に収容した液剤の漏れを防止している。また、液剤タンク７０を載設する際の位置決めとして、タンク下部本体の下面に突設した円柱ボス１０２を、歯車上部ハウジング４６の上面に凹設された位置決め部１０３に係合させている。
【００３５】
タンク上部本体７２の上面には環状の立上がり壁を有した液剤投入口１０４を備えており、ゴム製のタンク蓋７３を外嵌することによって通常は閉塞されているが、タンク蓋７３は着脱可能である。
【００３６】
タンク上部本体７２には、前記液剤投入口１０４と離間して、タンク下部本体７２の下面に設けた円筒孔９９の同軸線上に液剤滴下調整ノブ８７を回転自在に組み付けるための透孔１０５が穿設されており、前記液剤滴下調整ノブ８７を透孔１０５に挿入後、その先端側軸部１０６にゲート開閉部材８８を嵌入させる。前述、タンク上部本体７２とタンク下部本体７１の接着による結合はこの作業の後に行い、液剤タンク７０が結合完成されるとともに、前記ゲート開閉部材８８は先端側から前記タンク接続パイプ８４の上部円筒部１０１に内挿される。
【００３７】
＜液剤滴下動作の説明＞
上述のように構成された洗浄ヘッド５０の液剤滴下の動作について、図７を使用して説明する。図７は説明の便宜上、タンク上部本体７２を取外した状態の斜視図である。（ａ）は、液剤が液剤タンク７０からタンク接続パイプ８４の内部へ流出しない状態を示しており、このとき、タンク接続パイプ８４に形成され、液剤タンク７０に収容された液剤をタンク接続パイプ８４内部に流入可能とするゲート部９５がゲート開閉部材８８によって完全に閉塞されている。（ｃ）は、液剤滴下調整ノブを回転操作してタンク接続パイプ８４のゲート部９５とゲート開閉部材８８の開口部１１２を一致させて液剤をタンク接続パイプ８４の内部に流入可能とした状態を示す。（ｂ）は、前記（ａ）、（ｃ）夫々の状態の中間の状態を示すもので、タンク接続パイプ８４のゲート部９５とゲート開閉部材８８の開口部１１２が部分的に一致しており、僅かな量ずつタンク接続パイプ８４の内部に流入させることができる。
【００３８】
図８（ａ）は、前記スイッチベース８２内部の上部に位置する段部８９ａの上面にブッシュ８６が圧接している状態を示す。前記段部８９ａの中心孔とスイッチシャフト８３の軸径の差で生じさせた間隙１１１による液剤の流路を、コイルバネ８５で付勢力されたスイッチシャフト８３の外面に装着したブッシュ８６ａで閉塞しており、タンク接続パイプ８４の内部に流入した液剤は、前記段部８９ａの上面で堰き止められている。
【００３９】
図８（ｂ）に示すように、継ぎ手１０を通じて水がベースノズル８１内に供給されると、水圧によってノズル１０８から水車室５５内に水が勢い良く噴出され、水車４８が回転運動を開始するとともに、供給された水はベースノズル８１の上部に螺合されたスイッチベース８２内部にも分岐流入する。スイッチベース８２内に流入した水の圧力が、下方に付勢されていたスイッチシャフト８３を押上げ、前記スイッチシャフト８３の外面に装着したブッシュ８６ａで閉塞していた間隙１１１が開放される。スイッチシャフト８３は水圧によって、ブッシュ８６ｂがスイッチシャフト８３内部の下部に位置する段部８９ｂの下面に当接するまで押上げられる。
【００４０】
スイッチベース８１内の間隙１１１を通って、内部の上下２箇所の段部８９ａ、８９ｂ間の中間に穿設された軸長方向とは直交する貫通孔９１に流入した液剤は、液剤吐出口９４から歯車ハウジング４１の円筒外壁部に凹設された円弧状の有底スリット部１０７に流入する。このスリット部１０７の底面の両端部には小さな貫通孔１１０ａ、１１０ｂ（図９）が穿設されていて、スリット部１０７に流入した液剤は貫通孔１１０ａ、１１０ｂから歯車下部部品４７に設けた液剤滴下孔５９ａ、５９ｂを通って洗浄ヘッド５０の外部へ滴下される。前記スリット部１０７、貫通孔１１０ａ、１１０ｂは、前記水車室５５と隔離されているため、水車室５５内で水と液剤が混合されることはない。
【００４１】
一方、ベースノズル８１を介してノズル１０８から勢い良く水車室５５内に噴射された水によって、水車４８が回転運動を開始する。前述したように、遊星歯車４３ａ、４３ｂは、水車４８と一体で形成されている太陽歯車４２が回転したとき、互いに自転運動しながら太陽歯車４２の軸心周りに公転運動する。可動内歯車４４は、前記遊星歯車４３ａ、４３ｂと噛み合わされており遊星歯車４３ａ、４３ｂの公転運動と同一回転数で回転運動し、この回転運動が回転シャフト４５に伝達される。このようにして、水車４８の回転運動は減速機構部４０で減速されて回転シャフト４５に伝達される。
【００４２】
また、水車室５５が実質的に独立した空間とされていて、前述減速機構の各歯車が水車室５５以外に位置しているため、更には太陽歯車４２や遊星歯車４３ａ、４３ｂで構成される歯車機構部も密閉した独立した空間とされているので、水車室５５からの排水が前記各歯車にかかって歯車の摺動性を悪化させるといった問題が生じない。
【００４３】
＜回転スポンジ＞
図１０、図１１に示すように、回転スポンジ２０は、被洗浄体に回転接触して洗浄するスポンジ２２と、前記回転シャフト４５と係合して回転運動をスポンジ２２に伝達するスポンジベース２１から構成される。
【００４４】
スポンジベース２１は回転シャフト４５に外嵌する係合ボス３２を中心部に一体で樹立させた有底円筒形状の係合基部２３と、浅皿円盤状で前記係合基部２３の底部に図示しないネジで固定され、スポンジ２２に回転運動を伝達するベース板２７で構成される。
【００４５】
次に、前記係合基部２３の内部構造を図１０で説明する。前記回転シャフト４５と係合する円筒状の係合ボス３２の上端部には回転シャフト４５に圧入されたピン６６と係合し回転運動を伝達するための割り溝２８が凹設されている。また、割り溝２８に前記ピン６６を呼び込みし易くするために案内傾斜部３０を形成している。
【００４６】
押ボタン２６は、回転スポンジ２０を着脱させるためのプラスチックで成形された操作部材であり、図１０、図１１に示すように、その押ボタン２６には、バネ材により略Ｕ字状に折り曲げ形成された線バネ２４の対向２辺２４ａ、２４ｂの基端側が保持されている。この線バネ２４は係合基部２３の周壁に形成した孔３１から係合基部２３内に挿入され、対向２辺２４ａ、２４ｂは係合ボス３２の基部側に形成した係合ボス台座３３の周壁に径方向に貫通するように形成した図示しない保持孔に線バネ２４の長手方向に移動可能に且つ対向する２辺２４ａ、２４ｂが拡縮可能に挿通されて、先端部分が前記保持孔から突出している。（図１２）この線バネ２４の抜止めは、押ボタン２６に一体に形成した弾性爪片２９が孔３１の縁部に弾性係合することによってなされる。また、押ボタン２６を係合基部２３の外方へ付勢するコイルバネ２５が押ボタン２６に形成したコイルバネ保持部３４と係合ボス台座３３間に装着される。
【００４７】
前記スポンジ２２に回転運動を伝達するベース板２７は、前記線バネ２４、押ボタン２６及び、コイルバネ２５が係合基部２３内に組み込まれてから係合基部２３の底部を下方から塞ぐように図示しないネジで固定される。尚、係合基部２３の底部には、透孔３５が、そしてベース板２７の面状部には透孔３６がそれぞれ複数穿設されて洗浄ヘッド５０から吐出される水の通過を可能としている。スポンジ２２は、被洗浄体に当接する波型状の面と、その反対側に前記ベース板２７の底面３８の中心に合わせて接着等で固定する平滑な接着面３９を有している。
【００４８】
図１２（ａ）、（ｂ）に示すように、係合基部２３の周壁内周部には、孔３１とは反対側に位置して一体に突設した拡開用部材としての拡開用テーパ面３７ａ、３７ｂが形成されており、線バネ２４の対向２辺２４ａ、２４ｂの先端部間に対応した位置に形成されている。線バネ２４の対向２辺２４ａ、２４ｂの先端部は常にテーパ面３７ａ、３７ｂに摺接している。
【００４９】
次に上記構成において、回転スポンジ２０を洗浄ヘッド５０の回転シャフト４５に着脱する場合の作用を説明する。まず、回転スポンジ２０を装着するには、スポンジ２２部を手に持って係合ボス３２の係合孔３８を回転シャフト４５に挿入する。この挿入過程でスポンジベース２１を回して係合ボス３２の割り溝２８がピン６６と合致するようにして押し込むと、割り溝２８がピン６６に係合して係合状態となり、回転シャフト４５の回転がスポンジベース２１に伝達されるようになると共に、線バネ２４の対向２辺２４ａ、２４ｂが回転シャフト４５先端の円錐状部により拡開されつつ回転シャフト４５の外周面を摺動する。線バネ２４が係合溝６４に遭遇すると、その対向２辺２４ａ、２４ｂが自身の弾性力により縮小する方向に復元し、係合溝６４に嵌り込んで係合し回転スポンジ２０は回転シャフト４５に対し抜止め状態となる。（図８）
【００５０】
次に回転スポンジ２０を取外すには、係合基部２３を手に持ちながら押ボタン２６を押圧操作すればよい。（図１２（ｃ））押ボタン２６の押圧操作により、この押ボタン２６と一体の線バネ２４が拡開用テーパ部に向かって移動する。このため、線バネ２４の対向２辺２４ａ、２４ｂの先端部がテーパ面３７ａ、３７ａに沿って摺動し、対向２辺２４ａ、２４ｂが自身の弾性力に抗して拡開変形して回転シャフト４５の係合溝６４から外れ出て、回転スポンジ２０が取外せるようになる。
【００５１】
押ボタン２６の押圧操作を解けば、コイルバネ２５の付勢力によって押ボタン２６、線バネ２４ともに元の位置に戻される。（図１２（ｂ））上記構成によれば、小さな力で楽に回転スポンジ２０を洗浄ヘッド５０に着脱できる。
【００５２】
上記のように構成された回転式洗浄具１は、継ぎ手１０に接続されたホースからの水が洗浄ヘッド５０に導かれると、その水圧によって水車４８に回転力を生じさせる。減速機構で水車４８の回転を減速してスポンジ２２に伝達すると共に、水車４８を回転させた水は、歯車下部部品４７の排水部５８からスポンジ２２側へ排出される。前記水圧は、同時にスイッチシャフト８３を押上げ、洗浄ヘッド５０から洗剤等の液剤をスポンジ２２側へ滴下させることを可能とする。言い換えれば、液剤は、洗浄ヘッド５０に水が供給されない限り滴下されることはない。また、水供給時でも液剤の滴下を望まないときは、液剤タンク７０に備えた液剤滴下調整ノブ８７の回転操作により液剤供給を停止できる。
【００５３】
尚、本実施例ではいずれも回転洗浄部材としてスポンジ２２を用いて説明したが、これに限らずブラシで構成しても構わない。
【符号の説明】
【００５４】
１            回転式洗浄具
１１            水路
１０            継ぎ手
２０            回転スポンジ
２１            スポンジベース
２２            スポンジ
４０            減速機構部
４１            歯車ハウジング
４２            太陽歯車
４３ａ、４３ｂ  遊星歯車
４４            可動内歯車
４５            回転シャフト
４６            歯車上部ハウジング
４７            歯車下部ハウジング
４８            水車
５０            洗浄ヘッド
７０            液剤タンク
７１            タンク下部本体
７２            タンク上部本体
７３            タンク蓋
８０            液剤滴下口開閉機構部
８１            ベースノズル
８２            スイッチベース
８３            スイッチシャフト
８４            タンク接続パイプ
８５            コイルバネ
８６ａ，８６ｂ  ブッシュ
８７            液剤滴下調整ノブ
８８            ゲート開閉部材
【図１】
2014223596.tif 000003
【図２】
2014223596.tif 000004
【図３】
2014223596.tif 000005
【図４】
2014223596.tif 000006
【図５】
2014223596.tif 000007
【図６】
2014223596.tif 000008
【図７】
2014223596.tif 000009
【図８】
2014223596.tif 000010
【図９】
2014223596.tif 000011
【図１０】
2014223596.tif 000012
【図１１】
2014223596.tif 000013
【図１２】
2014223596.tif 000014